(57)【特許請求の範囲】
【請求項１】
浮き本体の下部に形成した挿入孔を栓止して塗装後、この挿入孔に主錘を仮止めした状態で前記浮き本体の浮き浮力を測定し、前記主錘を一旦取り外して、前記挿入孔に目標浮き浮力を得るための補助錘を装着すると共に、前記主錘を再び装着固定することにより、所定浮力を生じさせるようにした釣り用浮きの浮力調整法。
【請求項２】
浮き本体の下部に錘を装着し、所定浮力を生じさせるようにした釣り用浮きの浮力調整法であって、
浮き本体の下部に錘装着用の挿入孔を形成する工程と、
前記浮き本体を塗装する工程と、
前記挿入孔に主錘を装着して前記浮き本体に仮止めする工程と、
前記主錘が仮止めされた状態で前記浮き本体の浮き浮力を測定する工程と、
測定された前記浮力に基づき、所望の浮き浮力が得られるように補助錘の重量を設定する工程と、
仮止めされた前記主錘を前記浮き本体から取り外して、重量設定された前記補助錘を前記挿入孔に装着する工程と、
前記主錘を前記浮き本体に固定する工程とを順次行うことを特徴とする釣り用浮きの浮力調整法。
【請求項３】
前記浮き本体を塗装する際、前記主錘と実質的に同等な代替部材を前記浮き本体に仮止めして行うことを特徴とする請求項２に記載の釣り用浮きの浮力調整法。
【請求項４】
前記補助錘は少なくとも複数の小錘片を含み、この小錘片と前記挿入孔に塗布される接着剤の合計重量が、前記補助錘の重量として設定されることを特徴とする請求項３に記載の釣り用浮きの浮力調整法。
【発明の詳細な説明】
【０００１】
【発明の属する技術分野】
本発明は、海、川、湖或いは池等で釣りを行う際に使用する浮き、及びこの釣り用浮きの浮力調整方法に関する。
【０００２】
【従来の技術】
従来、この種の釣り用浮きとして桐等の天然木材を切削加工して、その表面に耐水塗装を施した木製のものが知られている。浮きの実使用に際して、浮力バランスは極めて重要であり、浮きの動きや当たり感度等に著しく影響する。
【０００３】
従来、浮きの浮力調整を行う場合、例えば木製浮きの木材料を浮きの（外形）形状に成形後、表面全体の下地塗装を行う。なお、所謂中通し浮きにあっては、予め中通し孔が形成される。次に、浮きを水中に沈めて浮力測定を行い、この測定値に基づき、最終的な浮力を得るための錘の重量を決定する。例えば浮力測定値１ｇの場合において、この浮力測定値に対して目標浮力０．５ｇの浮きを得るためには、０．５ｇの錘を装着することになる。
【０００４】
浮力調整用の錘としては、金属製のワッシャ等が用いられる。ワッシャの数量及び重量等は、目標浮力が得られるように適宜選ばれる。浮き下部には、浮力調整用ワッシャを装着するための挿入孔が形成される。この挿入孔の寸法、特に深さは、装着すべきワッシャの厚さに応じて決められる。例えば上述の例では、２つの０．２ｇの錘とこれらの錘を挿入孔に固定するための接着剤によって、目標浮力０．５ｇの浮きを得るようにしている。
【０００５】
【発明が解決しようとする課題】
しかしながら、従来の浮き又はその浮きの浮力調整法において、浮き形成用の素材である材木の重量にバラツキがある。このため、前述のように浮力測定の結果に基づいて決定される浮力調整用ワッシャの数量、従って挿入孔の深さも、素材の材木の重量バラツキと同様バラツキついてしまう。つまり、それぞれの浮き毎に個別に挿入孔の深さを設定し、異なる深さの挿入孔を形成せざるを得なかった。
【０００６】
本発明はかかる実情に鑑み、正確且つ効率的に浮力調整を行い得る釣り用浮きの浮力調整法を提供することを目的とする。
【０００７】
【課題を解決するための手段】
本発明による釣り用浮きの浮力調整法は、浮き本体の下部に形成した挿入孔を栓止して塗装後、この挿入孔に主錘を仮止めした状態で前記浮き本体の浮き浮力を測定し、前記主錘を一旦取り外して、前記挿入孔に目標浮き浮力を得るための補助錘を装着すると共に、前記主錘を再び装着固定することにより、所定浮力を生じさせるようにしたものである。
【０００８】
また、本発明による釣り用浮きの浮力調整法は、浮き本体の下部に錘を装着し、所定浮力を生じさせるようにした釣り用浮きの浮力調整法であって、浮き本体の下部に錘装着用の挿入孔を形成する工程と、前記浮き本体を塗装する工程と、前記挿入孔に主錘を装着して前記浮き本体に仮止めする工程と、前記主錘が仮止めされた状態で前記浮き本体の浮き浮力を測定する工程と、測定された前記浮力に基づき、所望の浮き浮力が得られるように補助錘の重量を設定する工程と、仮止めされた前記主錘を前記浮き本体から取り外して、重量設定された前記補助錘を前記挿入孔に装着する工程と、前記主錘を前記浮き本体に固定する工程とを順次行うものである。
【０００９】
また、本発明による釣り用浮きの浮力調整法において、前記浮き本体を塗装する際、前記主錘と実質的に同等な代替部材を前記浮き本体に仮止めして行う。
【００１０】
また、本発明による釣り用浮きの浮力調整法において、前記補助錘は少なくとも複数の小錘片を含み、この小錘片と前記挿入孔に塗布される接着剤の合計重量が、前記補助錘の重量として設定される。
【００１１】
【作用】
本発明によれば、浮き本体の下部に形成した挿入孔を栓止して塗装後、この挿入孔に主錘を仮止めした状態で浮き本体の浮き浮力を測定する。次に、主錘を一旦取り外して、挿入孔に目標浮き浮力を得るための補助錘を装着することで、所定浮力を生じさせることができる。挿入孔を予め形成後、塗装済みの状態で浮き浮力測定を行うため、素材の材木の重量バラツキに全く影響されずに正確な浮力を得ることができる。この場合、特に浮き本体の塗装工程で使用した塗料重量も浮力測定の際して加味しているため、塗料重量によって生じ得る微妙な浮力誤差をなくして、極めて高い精度の浮力を設定を実現する。
【００１２】
【発明の実施の形態】
以下、図１〜図３に基づき、本発明による釣り用浮きの浮力調整法の好適な実施の形態を説明する。
【００１３】
図１は、この実施形態における釣り用浮き１０の外観を示している。浮き１０は、好適には桐等の木材料を用いて形成された浮き本体１１を有している。該浮き本体１１の下端部には、所謂ＥＰラバー（エチレンプロピレンゴム）等を用いて形成されたゴム足１２が一体的に付設されている。このゴム足１２によれば、浮き１０の衝突時等において優れた耐衝撃性が得られると共に、何ら特別な塗装をしなくとも素材そのままで優れた外観表面が得られる。なお、浮き本体１１の表面には、後述するように所定の塗装処理が施されるようになっている。
【００１４】
図２は、釣り用浮き１０の内部構造を示している。浮き１０には、センターパイプ１３が挿通しており、即ち該センターパイプ１３は、浮き本体１１及びゴム足１２のそれぞれ中心部を貫通している。浮き本体１１の下部には、後述するように錘類等を装着するための挿入孔１４が所定深さで形成される。この挿入孔１４に後述する所定重量の主錘と、該主錘装着時の浮き浮力との関係で重量設定された補助錘とが装着される。
【００１５】
また、図２において、挿入孔１４には、好適には真鍮製の本体ネジ１５が装着されている。この本体ネジ１５に、ゴム足１２と一体化している好適には真鍮製のゴム足ネジ１６が螺合する。本実施形態においては、これらの本体ネジ１５及びゴム足ネジ１６により主錘を構成するものとする。
【００１６】
挿入孔１４には更に、複数の小錘片、つまりこの例では２つの金属製（鉄或いは真鍮等）ワッシャ１７ａ，１７ｂと発泡ゴム材１８が装着されている。これらの部材は補助錘を構成するが、補助錘の重量としては、ワッシャ１７ａ，１７ｂ及び発泡ゴム材１８と挿入孔１４に塗布される接着剤（図示せず）の合計重量により設定される。発泡ゴム材１８は、弾性体であるゴム基材内に多数の気泡を独立的に含有させたものであり、各気泡は相互に隔絶しており非浸水性の構造となっている。この発泡ゴム材１８を設けることにより、浮き１０内部に万一浸水した場合でも、一定の浮力を生じさせることができる。
【００１７】
本発明法において、先ず、所定の木材料を切削加工して、浮き１０の（外形）形状を成形する。次に、浮き本体１１の中心部にセンターパイプ１３を挿通するための中通し孔を形成後、該浮き本体１１の下部に錘装着用の挿入孔１４を形成する。この挿入孔１４には、前述した主錘及び補助錘が装着されるが、その径及び深さは予め所定寸法に設定されている。中通し孔にセンターパイプ１３を挿入し、これを適宜の接着剤によって固定する。なお、センターパイプ１３は、好適には例えば樹脂材料により形成される。
【００１８】
センターパイプ１３の挿入固定後、挿入孔１４の内部に本体ネジ１５を挿入し、これを接着剤によって固定する。本体ネジ１５は環状もしくはリング状に形成されていて、図３に示されるように内周部にネジ部１５ａを有していると共に、外周部には適宜のローレット１５ｂが施されている。このローレット１５ｂが施された外周面にて挿入孔１４に嵌合させることにより、本体ネジ１５を確実に接着固定することができる。
【００１９】
本体ネジ１５には、ゴム足１２と一体化したゴム足ネジ１６が結合されるが、ここではその前に、これらのゴム足１２及びゴム足ネジ１６と実質的に同等な代替部材（以下、ダミーと称するものとし、重量や形状が同様に構成されている）を浮き本体１１に仮止めすることにより、挿入孔１４を栓止する。そして、ダミーを仮止め後、浮き本体１１と共に全体を所謂どぶ漬け等で塗装する。このようにダミーを仮止めして塗装を行うことで、浮き本体１１の表面全体が簡単且つ適正に塗装される。
【００２０】
ここで、ゴム足１２及びゴム足ネジ１６は、ゴム足ネジ１６をインサートするかたちで（図３、二点鎖線参照）、圧縮成形によって一体化した構成となっている。ゴム足ネジ１６は外周部にネジ部１６ａを有しており、このネジ部１６ａを本体ネジ１５のネジ部１５ａと螺合させることにより、該ゴム足ネジ１６を本体ネジ１５に簡単に結合することができる。
【００２１】
本体ネジ１５に仮止めしたダミーを浮き本体１１から取り外して、次に本体ネジ１５に対してゴム足ネジ１６を螺合させる。なお、この場合ゴム足ネジ１６は、接着剤を使用せずに仮止め状態としておく。これにより浮き本体１１には、本体ネジ１５及びゴム足ネジ１６等で成る主錘が装着される。次に、このように主錘を仮止めした状態にて浮き本体１１を水中に沈めて、このときの浮力を測定する。この場合挿入孔１４には補助錘（ワッシャ１７ａ，１７ｂ等）は装着されておらず、挿入孔１４の上部は空洞となっている。
【００２２】
次に、測定された浮力に基づき、所望の浮き浮力が得られるように補助錘の重量を設定する。前述のように補助錘の重量としては、ワッシャ１７ａ，１７ｂ及び発泡ゴム材１８と挿入孔１４に塗布される接着剤の合計重量により設定されるが、この場合、浮き本体１１にゴム足１２及びゴム足ネジ１６を固定するために用いる接着剤の重量を見込んでおくとよい。仮止めされていたゴム足１２及びゴム足ネジ１６を一旦取り外して、上記のように重量設定された補助錘をシリコン系接着剤によって挿入孔１４内部に接着固定する。そして、ゴム足１２及びゴム足ネジ１６を浮き本体１１に最終的に接着固定する。
【００２３】
上述のように補助錘は、浮き１０の目標浮力が得られるように設定される。測定された浮力測定値１ｇの場合を例にすると、この浮力測定値に対して目標浮力０．５ｇの浮きを得るためには、０．５ｇの補助錘を装着する。かかる補助錘の重量を確保するために、２つの０．２ｇのワッシャ１７ａ，１７ｂと発泡ゴム材１８とこれらを挿入孔１４に固定するための接着剤とを使用し、これにより目標浮力０．５ｇの浮き１０が得られる。
【００２４】
上記実施形態において、浮き１０の目標浮力、或いはワッシャ１７ａ，１７ｂの重量等につき、具体的数値例を用いて説明したが、本発明はこれらの数値例の場合にのみ限定されるものでない。これらの数値は必要に応じて適宜変更可能であり、いずれの場合も上記実施形態と同様な作用効果を得ることができる。
【００２５】
【発明の効果】
以上説明したように本発明によれば、主錘装着時に測定された浮き浮力に基づいて、目標浮力となるように補助錘の重量を設定し、これにより主錘と補助錘とによって正確な所望の浮力を得ることができる。また、錘装着用の一定の挿入孔を形成するだけで済むため、工程を極めて効率化することができると共に、素材の材木の重量バラツキに全く影響されずに正確な浮力を得ることができる等の利点を有している。この場合、特に浮き本体の塗装工程で使用した塗料重量も浮力測定の際して加味しているため、塗料重量によって生じ得る微妙な浮力誤差をなくして、極めて高い精度の浮力を設定を実現する。
【図面の簡単な説明】
【図１】本発明による浮力調整法に係る釣用浮きの外観図である。
【図２】本発明による浮力調整法に係る釣用浮きの断面図である。
【図３】本発明による浮力調整法に係る釣用浮きの構成部材を示す図である。
【符号の説明】
１０    釣り用浮き
１１    浮き本体
１２    挿入孔
１３    センターパイプ
１４    挿入孔
１５    本体ネジ
１６    ゴム足ネジ
１７ａ，１７ｂ    ワッシャ
１８    発泡ゴム材
【図１】
0003553247.tif 000002
【図２】
0003553247.tif 000003
【図３】
0003553247.tif 000004